(57)【要約】【課題】磁気ローラへの電圧電流配線を変更することで、適切な放電開始電圧を測定することが可能な画像形成装置１を提供する。【解決手段】画像形成の際に、前記スリーブローラ４０ａに、第一の交流電圧と第一の直流電圧とを重畳させたパルス状のスリーブローラ電圧を印加させるとともに、前記磁気ローラ４０ｂに、第二の交流電圧と第二の直流電圧とを別個に印加させることで、当該磁気ローラ４０ｂに、第二の交流電圧と第二の直流電圧とを重畳させたパルス状の磁気ローラ電圧を印加させる現像バイアス印加手段４０２と、放電開始電圧の測定の際に、前記磁気ローラ４０ｂへの第二の交流電圧の印加を停止させる交流電圧停止手段４０３と、前記磁気ローラ４０ｂへの第二の交流電圧の印加が停止されると、前記交流用トランスの交流電圧を増加させて、前記スリーブローラ４０ａと前記磁気ローラ４０ｂとの間に生じる放電を検知して、放電開始電圧を測定する放電開始電圧測定手段４０４とを備えることを特徴とする。【選択図】図４
2016012038.tif 000002
【特許請求の範囲】
【請求項１】
所定の交流電圧を第一の交流電圧と第二の交流電圧とに分配する交流用トランスを備えて画像形成装置であって、
画像形成の際に、前記スリーブローラに、第一の交流電圧と第一の直流電圧とを重畳させたパルス状のスリーブローラ電圧を印加させるとともに、前記磁気ローラに、第二の交流電圧と第二の直流電圧とを別個に印加させることで、当該磁気ローラに、第二の交流電圧と第二の直流電圧とを重畳させたパルス状の磁気ローラ電圧を印加させる現像バイアス印加手段と、
放電開始電圧の測定の際に、前記磁気ローラへの第二の交流電圧の印加を停止させる交流電圧停止手段と、
前記磁気ローラへの第二の交流電圧の印加が停止されると、前記交流用トランスの交流電圧を増加させて、前記スリーブローラと前記磁気ローラとの間に生じる放電開始電圧を測定する放電開始電圧測定手段と
を備えることを特徴とする画像形成装置。
【請求項２】
前記磁気ローラへ第二の直流電圧を印加する直流電圧線と当該磁気ローラへ第二の交流電圧を印加する交流電圧線との間には、所定の絶縁材料が設けられる
請求項１に記載の画像形成装置。
【請求項３】
所定の交流電圧を第一の交流電圧と第二の交流電圧とに分配する交流用トランスを備えて画像形成装置の放電開始電圧測定方法であって、
画像形成の際に、前記スリーブローラに、第一の交流電圧と第一の直流電圧とを重畳させたパルス状のスリーブローラ電圧を印加させるとともに、前記磁気ローラに、第二の交流電圧と第二の直流電圧とを別個に印加させることで、当該磁気ローラに、第二の交流電圧と第二の直流電圧とを重畳させたパルス状の磁気ローラ電圧を印加させるステップと、
放電開始電圧の測定の際に、前記磁気ローラへの第二の交流電圧の印加を停止させるステップと、
前記磁気ローラへの第二の交流電圧の印加が停止されると、前記交流用トランスの交流電圧を増加させて、前記スリーブローラと前記磁気ローラとの間に生じる放電開始電圧を測定するステップと
を備えることを特徴とする放電開始電圧測定方法。
【発明の詳細な説明】
【技術分野】
【０００１】
本発明は、画像形成装置及び放電開始電圧測定方法に関し、詳しくは、磁気ローラへの電圧電流配線を変更することで、適切な放電開始電圧を測定することが可能な画像形成装置及び放電開始電圧測定方法に関する。
【背景技術】
【０００２】
従来より、複写機、複合機、ファクシミリ等の画像形成装置では、品質の安定した画像形成を実現するために、多種の技術が存在する。
【０００３】
例えば、特開平８−１８５０２４号公報（特許文献１）には、像担持体にバイアス電圧を印加するバイアス印加手段を備えた画像形成装置が開示されている。この画像形成装置では、前記像担持体へのバイアス電圧供給を遮断し、前記像担持体へ充電された電荷を抵抗を経由して接地に放電する。これにより、精度のよい経時的にも安定した電位校正及び制御が行なえ品質の安定した画像を提供することができるとしている。
【０００４】
又、特開２００３−２８７９４２号公報（特許文献２）には、静電潜像が形成された像担持体と現像領域において所要間隔を介して対向するようにトナー担持体を設け、このトナー担持体と像担持体との間に直流電圧と交流電圧とが重畳された現像バイアス電圧を印加させて、トナー担持体に保持されたトナーを像担持体に供給して静電潜像を現像する現像装置が開示されている。この現像装置では、上記の像担持体とトナー担持体との間に印加させるリーク検知電圧を変化させて像担持体とトナー担持体との間にリークを発生させるリーク発生手段と、像担持体とトナー担持体との間に流れる電流に基づいてリークを検知するリーク検知手段とを設けている。これにより、リークを検知するために、従来のように高価な濃度センサーを用いる必要がなく、コストが低減されると共に、どのような位置でリークが発生しても、リークの発生が確実に検知されるようになるとしている。
【０００５】
又、特開２００６−１２６８７８号公報（特許文献３）には、表面に有機光導電材料からなる薄膜層を有する像担持体を露光することにより静電潜像を形成した後、静電潜像に現像剤を付着させて顕像化し、記録用紙上に画像を形成する画像形成動作に用いる現像装置であって、前記像担持体に供給するための現像剤を担持する現像剤担持体を備え、前記現像剤担持体に電圧を印加して前記現像剤担持体から前記像担持体に対して現像剤を供給する現像装置が開示されている。この現像装置では、現像剤が一成分現像剤であり、画像形成動作に先立って前記現像剤担持体及び前記薄膜層間でリークが生じる際の前記電圧を検出する検出手段と、前記検出手段の検出結果に基づいて、前記リークが生じない前記電圧の範囲を設定する設定手段とを設けている。これにより、現像剤担持体及び像担持体間の離間距離が装置毎に異なったりまたは変動等が生じても、現像用バイアス電圧の設定の際の許容範囲が広く確保されるとともに、現像剤担持体と像担持体との間でのリークの発生が確実に防止されるとしている。又、リークの発生を防止して、常に良好な画像が形成されるとしている。
【０００６】
又、特開２００８−１８５９７６号公報（特許文献４）には、静電潜像を担持する感光体と、前記感光体の軸方向と平行な方向に延びる帯電ワイヤを有し、前記感光体を帯電させる帯電器と、前記帯電器のリーク電流を検出する検出手段と、前記検出手段によりリーク電流が検出された場合に前記帯電ワイヤを清掃する清掃手段、及び前記検出手段によりリーク電流が検出された場合に前記帯電ワイヤを交換する交換手段のうち少なくともいずれか一方の手段とを備えた画像形成装置が開示されている。この画像形成装置では、前記帯電器は、前記帯電器のリークを促進する促進手段を有し、前記促進手段は、前記静電潜像が形成される画像形成領域に対向する位置以外に設けられている。これにより、促進手段でリーク電流が発生したときに、帯電ワイヤが少なくとも清掃又は交換されるので、ワイヤ太りが進行することを未然に防止でき、感光体に形成される静電潜像に悪影響を与えるリークを抑制することが可能となるとしている。又、促進手段は、静電潜像が形成される画像形成領域に対向する位置以外に設けられているので、促進手段で発生したリーク電流が静電潜像に悪影響を与えてしまうことを抑制することができるとしている。
【０００７】
又、特開２０１０−１１３１２７号公報（特許文献５）には、回転可能に支持され、駆動源からの駆動力を受けて回転する感光体ドラムと、帯電するトナーを担持するとともに、交流電圧を出力する第１電圧印加部が接続され、前記感光体ドラムにトナーを供給する現像ローラと、トナーを前記現像ローラに供給し、前記現像ローラを前記感光体ドラムに対しギャップを設けつつ対向させて支持する現像装置と、前記感光体ドラムに当接して残留トナーを除去する当接部材と、を含む画像形成部と、前記現像ローラと前記感光体ドラム間の放電発生を検出するための検出部と、を備える画像形成装置が開示されている。この画像形成装置は、前記感光体ドラムが回転し、前記第１電圧印加部が、前記現像ローラに印加する交流電圧のピーク間電圧の段階的な変更を行って、前記感光体ドラムと前記現像ローラ間で放電が発生する電圧の検出を行う放電検出時、前記現像装置は、予め定められたタイミングで、予め定められた時間だけ、前記現像ローラにトナーを供給する。これにより、放電検出時、現像ローラに常時トナーを担持させず、放電の発生する電圧の安定化を図るので、放電発生開始電圧を正確、高精度に測定でき、更に、一定のタイミングで現像ローラ、感光体ドラムにトナーを供給するので、当接部材部分のトナーの電位の過上昇を防ぎ、感光体ドラムの損傷を防ぐことができるとしている。
【先行技術文献】
【特許文献】
【０００８】
【特許文献１】特開平８−１８５０２４号公報
【特許文献２】特開２００３−２８７９４２号公報
【特許文献３】特開２００６−１２６８７８号公報
【特許文献４】特開２００８−１８５９７６号公報
【特許文献５】特開２０１０−１１３１２７号公報
【発明の概要】
【発明が解決しようとする課題】
【０００９】
さて、トナー及びキャリアを含有する二成分の現像剤を担持する磁気ローラ（マグローラ）からトナーのみを転移させることにより現像スリーブローラ（スリーブローラ）上にトナー薄層を形成させ、静電潜像が形成された感光体（感光体ドラム）の表面に、前記トナー薄層からトナーを飛翔させて静電潜像をトナー像として現像するタッチダウン現像方式では、図８（Ａ）に示すように、現像バイアスの印加形態として、磁気ローラとスリーブローラとに直流電圧と交流電圧とを重畳させた現像バイアス電圧を印加させている。具体的には、図８（Ａ）に示すように、磁気ローラには、交流電圧と直流電圧とを重畳させたパルス状の磁気ローラ電圧が印加されるとともに、スリーブローラには、交流電圧と直流電圧とを重畳させたパルス状のスリーブローラ電圧であって、前記磁気ローラ電圧のパルスの凸部分に対応する凹部分と当該磁気ローラ電圧のパルスの凹部分に対応する凸部分とを有するスリーブローラ電圧が印加される。そして、前記磁気ローラ電圧と前記スリーブローラ電圧とが重畳することで、当該磁気ローラと当該スリーブローラとの間に一定の現像バイアス電圧が表面電位（表面電圧）として印加された状態となる。これを用いて、磁気ローラからトナーをスリーブローラへ飛翔させる。
【００１０】
ここで、上述した磁気ローラ電圧とスリーブローラ電圧とを発生させるために、画像形成装置（現像装置）の内部の電圧電源構成では、図８（Ｂ）に示すように、所定の交流高圧電源と、磁気ローラへ電圧を印加する磁気ローラ電圧線及びスリーブローラへ電圧を印加するスリーブローラ電圧線との間に、交流用トランス（変圧器）を設け、前記交流高圧電源の電圧を、前記磁気ローラ電圧線の電圧と、前記スリーブローラ電圧線の電圧とに分配する。そして、前記磁気ローラ電圧線には、所定の直流電圧を印加するとともに、前記スリーブローラ電圧線にも、所定の直流電圧を印加することで、当該磁気ローラ電圧線と当該スリーブローラ電圧線とからそれぞれ（交流電圧と直流電圧とを重畳させた）パルス状の電圧が出力されることになる。この出力される電圧を用いることで、上述した現像バイアス電圧を実現する。
【００１１】
このような内部の電圧電源構成において、例えば、現像効率を高めるために、前記交流電圧電源の交流電圧を高くする方法が採用されるが、この方法を採用すると、スリーブローラ電圧も高くなることから、当該スリーブローラと感光体との間に放電が生じて、異常画像が発生するという問題がある。
【００１２】
そのため、従来技術において、前記交流電圧電源の交流電圧の振幅を徐々に増加させて、前記放電が生じ得ない交流電圧電源の交流電圧の放電開始電圧を測定する方法が採用されている。この放電開始電圧を測定する場合、磁気ローラからスリーブローラへトナーが飛翔しないような構成を採用しているが、どのような構成であっても、前記放電開始電圧を適切に測定出来ないという問題がある。
【００１３】
例えば、磁気ローラに設けられる所定の穂切り部に所定の磁界を与え、当該磁気ローラに供給されるトナーを遮断する構成では、トナーの遮断を実現できても、当該磁気ローラには交流電圧が印加されるため、結局、磁気ローラとスリーブローラとの間にリークが生じるという問題がある。
【００１４】
又、磁気ローラとスリーブローラとの間にシャッターを設ける構成では、当該磁気ローラと当該スリーブローラとの間の距離が３００μｍと非常に微小であるため、現実的でないという問題がある。
【００１５】
このように、通常、磁気ローラとスリーブローラとの間にリークが発生すると、前記放電開始電圧を適切に測定することが出来ないため、適切な現像バイアス電圧を供給することが出来ず、結局、画質を悪化させるという問題がある。このような問題に対して、上述した特許文献１−５に記載の技術では解決することが出来ない。
【００１６】
そこで、本発明は、前記問題を解決するためになされたものであり、磁気ローラへの電圧電流配線を変更することで、適切な放電開始電圧を測定することが可能な画像形成装置及び放電開始電圧測定方法を提供することを目的とする。
【課題を解決するための手段】
【００１７】
上述した課題を解決し、目的を達成するために、本発明に係る画像形成装置は、所定の交流電圧を第一の交流電圧と第二の交流電圧とに分配する交流用トランスを備えて画像形成装置であって、以下の構成を採用する。
【００１８】
即ち、前記画像形成装置は、画像形成の際に、前記スリーブローラに、第一の交流電圧と第一の直流電圧とを重畳させたパルス状のスリーブローラ電圧を印加させるとともに、前記磁気ローラに、第二の交流電圧と第二の直流電圧とを別個に印加させることで、当該磁気ローラに、第二の交流電圧と第二の直流電圧とを重畳させたパルス状の磁気ローラ電圧を印加させる現像バイアス印加手段と、放電開始電圧の測定の際に、前記磁気ローラへの第二の交流電圧の印加を停止させる交流電圧停止手段と、前記磁気ローラへの第二の交流電圧の印加が停止されると、前記交流用トランスの交流電圧を増加させて、前記スリーブローラと前記磁気ローラとの間に生じる放電開始電圧を測定する放電開始電圧測定手段とを備えることを特徴とする。
【００１９】
又、前記磁気ローラへ第二の直流電圧を印加する直流電圧線と当該磁気ローラへ第二の交流電圧を印加する交流電圧線との間には、所定の絶縁材料が設けられる。
【００２０】
又、本発明は、所定の交流電圧を第一の交流電圧と第二の交流電圧とに分配する交流用トランスを備えて画像形成装置の放電開始電圧測定方法として構成することが出来る。前記放電開始電圧測定方法では、画像形成の際に、前記スリーブローラに、第一の交流電圧と第一の直流電圧とを重畳させたパルス状のスリーブローラ電圧を印加させるとともに、前記磁気ローラに、第二の交流電圧と第二の直流電圧とを別個に印加させることで、当該磁気ローラに、第二の交流電圧と第二の直流電圧とを重畳させたパルス状の磁気ローラ電圧を印加させるステップと、放電開始電圧の測定の際に、前記磁気ローラへの第二の交流電圧の印加を停止させるステップと、前記磁気ローラへの第二の交流電圧の印加が停止されると、前記交流用トランスの交流電圧を増加させて、前記スリーブローラと前記磁気ローラとの間に生じる放電開始電圧を測定するステップとを備えることを特徴とする。
【００２１】
又、本発明は、電気通信回線などを介して個別に流通する、コンピュータに実行させるためのプログラムとして提供することができる。この場合、中央演算処理装置（ＣＰＵ）が、本発明のプログラムに従ってＣＰＵ以外の各回路と協働して制御動作を実現する。又、前記プログラム及びＣＰＵを用いて実現される各手段は、専用のハードウェアを用いて構成することもできる。又、当該プログラムは、ＣＤ−ＲＯＭなどのコンピュータ読み取り可能な記録媒体に記録された状態で流通させることも可能である。
【発明の効果】
【００２２】
本発明の画像形成装置及び放電開始電圧測定方法によれば、磁気ローラへの電圧電流配線を変更することで、適切な放電開始電圧を測定することが可能となる。
【図面の簡単な説明】
【００２３】
【図１】本実施形態の画像形成装置の概略構成図である。
【図２】画像形成ユニットの１つの詳細図である。
【図３】本実施形態における画像形成装置１の制御関連の概略構成図である。
【図４】本発明の画像形成装置の機能ブロック図である。
【図５】本発明の実行手順を示すためのフローチャートである。
【図６】本発明の画像形成装置の内部の交流電圧直流電圧電源構成を示す図である。
【図７】本発明の画像形成装置の磁気ローラに各電圧線が電気的に接続された状態を示す図（図７（Ａ））と、本発明の画像形成装置の磁気ローラに直流電圧線のみが電気的に接続された状態を示す図（図７（Ｂ））とである。
【図８】従来技術の画像形成装置の現像バイアス電圧を示す図（図８（Ａ））と、従来技術の画像形成装置の内部の電圧電源構成を示す図（図８（Ｂ））とである。
【発明を実施するための形態】
【００２４】
以下に、添付図面を参照して、本発明の画像形成装置の実施形態について説明し、本発明の理解に供する。尚、以下の実施形態は、本発明を具体化した一例であって、本発明の技術的範囲を限定する性格のものではない。又、フローチャートにおける数字の前に付されたアルファベットＳはステップを意味する。
【００２５】
＜画像形成装置＞
以下、本発明に係る画像形成装置１について説明する。図１は、本実施形態の画像形成装置１の概略構成図である。
【００２６】
画像形成装置１は、画像データに基づいてトナー画像を形成するタンデム式の画像形成部Ａ１、用紙を収容する用紙収容部２、画像形成部Ａ１で形成されたトナー画像を用紙上に転写する二次転写部３を備えている。又、転写されたトナー画像を用紙上に定着させる定着部４、定着の完了した用紙を排紙する排紙装置５、及び、排紙された用紙を受ける排紙トレイ７を備えている。さらに、画像形成装置１は、用紙収容部２から排紙装置５まで用紙を搬送する用紙搬送部６を備えている。
【００２７】
画像形成部Ａ１は、中間転写ベルトＢ１（中間転写体）、中間転写ベルトＢ１のクリーニング部Ｂ２、並びに、イエロー（Ｙ）、マゼンタ（Ｍ）、シアン（Ｃ）、ブラック（Ｂ）の各色にそれぞれ対応した画像形成ユニットＦＹ、ＦＭ、ＦＣ、及びＦＢを備える。
【００２８】
中間転写ベルトＢ１は、導電性を有する使用可能な用紙搬送方向に直角な方向の長さが最大の用紙より幅広であって、無端状、すなわちループ状のベルト状部材であり、図１において時計回りに循環駆動される。
【００２９】
画像形成ユニットＦＹ、ＦＭ、ＦＣ、及びＦＢは、中間転写ベルトＢ１に沿って、中間転写ベルトＢ１の移動方向において、中間転写ベルトＢ１のクリーニング部Ｂ２より下流かつ二次転写部３の上流に、この順に配される。なお、各画像形成ユニットＦＹ、ＦＭ、ＦＣ、ＦＢの配置の順番はこの限りではないが、各色の混色による完成画像への影響を配慮すると、この配置が好ましい。画像形成ユニットＦＹ、ＦＭ、ＦＣ、ＦＢの配置は、当該画像形成ユニット間の間隔が均等になるように配置される。
【００３０】
次に、この画像形成装置１の画像形成動作を説明する。図２は、画像形成ユニットＦＹ、ＦＭ、ＦＣ、ＦＢの１つの詳細図である。各画像形成ユニットＦＹ、ＦＭ、ＦＣ、ＦＢはほぼ同等な構成となっている。
【００３１】
画像形成ユニットＦＹは、感光体ドラム（像担持体）１０、帯電器１１、ＬＥＤ露光装置１２、黄色用の現像装置ＨＹ、一次転写ローラ（電圧印加部）２０、感光体ドラム１０のクリーニングブレード３５、除電装置１３、キャリア除去ローラ（キャリア除去部材）３０を備える。
【００３２】
尚、他の画像形成ユニットＦＭ、ＦＣ、ＦＢはそれぞれの色に対応した現像装置ＨＭ、ＨＣ、ＨＢを備える。又、画像形成ユニットのうち、中間転写ベルトＢ１の移動方向の最下流側に位置する画像形成ユニットＦＢには、その下流に画像形成部が位置しないためキャリア除去ローラ３０が設けられていないが、その他の構成は同一である。
【００３３】
感光体ドラム１０は、その表面に帯電（本実施形態ではプラス極性に帯電）したトナーを含むトナー像を担持することができるようになっていればよい。
【００３４】
本実施形態において、感光体ドラム１０は、中間転写ベルトＢ１の移動方向に垂直かつ中間転写ベルトＢ１の面方向に平行な回転軸を中心に回転可能に配される略円筒状の部材とする。又、感光体ドラム１０は、中間転写ベルトＢ１の表面に、所定の一次転写位置１０Ｓにて接するようになっている。そして、感光体ドラム１０は、一次転写位置１０Ｓでの移動方向が中間転写ベルトＢ１の移動方向と同方向になるように、つまり図２においては反時計回りに回転可能である。
【００３５】
クリーニングブレード３５、除電装置１３、帯電器１１、露光装置１２、黄色用の現像装置ＨＹは、感光体ドラム１０の回りに、上述の回転方向に沿って、一次転写位置から見てこの順に配される。
【００３６】
帯電器１１は、感光体ドラム１０表面を一様に帯電させることができる。露光装置１２は、ＬＥＤ等の光源を有し、パーソナルコンピュータ（ＰＣ）等の上位装置からの画像データに応じて、帯電した感光体ドラム１０表面を画像データに応じた光で照射し、感光体ドラム１０表面に静電潜像を形成可能である。
【００３７】
黄色用の現像装置ＨＹは、黄色のトナー及びキャリアを含む現像剤を前記静電潜像に対向するように保持することで、静電潜像にトナーを付与し、静電潜像をトナー像として現像することができる。このトナー像は一次転写ローラ２０によって中間転写ベルトＢ１に一次転写される。一次転写ローラ２０の詳細については後述する。
【００３８】
クリーニングブレード３５は、感光体ドラム１０に接するように配されたブレード状の部材である。クリーニングブレード３５は一次転写後、感光体ドラム１０の表面に残留した現像剤を除去する。
【００３９】
除電装置１３は光源を備え、クリーニングブレード３５による現像剤除去後、感光体ドラム１０の表面を光源からの光によって除電し、次の画像形成に備える。
【００４０】
一次転写ローラ２０は、中間転写ベルトＢ１の裏面に、中間転写ベルトＢ１の移動方向において前記一次転写位置１０Ｓより下流の電圧印加位置２０Ｓで接するように配される。一次転写ローラ２０には、図示しない電源からトナー像中のトナーとは逆極性（本実施形態ではマイナス）の電圧を印加されるようになっている。つまり、一次転写ローラ２０は、電圧印加位置２０Ｓにて、中間転写ベルトＢ１にトナーと逆極性の電圧を印加することができる。中間転写ベルトＢ１は導電性を有するので、この印加電圧によって、電圧印加位置２０Ｓの中間転写ベルトＢ１の表面側及びその周辺にトナーが引き付けられる。
【００４１】
そこで、本実施形態では、前記一次転写位置１０Ｓを、この印加電圧によってトナーが中間転写ベルトＢ１側に引き付けられる範囲内に配する。その結果、感光体ドラム１０から中間転写ベルトＢ１の表面へトナーが移動し、一次転写が行われる。
【００４２】
このように一次転写が可能であれば、一次転写ローラ２０の具体的な構成は特に限定されず、具体的な構成は適宜変更可能である。本実施形態においては、一次転写ローラ２０は、感光体ドラム１０の回転軸と平行な回転軸を中心として感光体ドラム１０と逆方向に回転可能な、つまり電荷印加位置２０Ｓでの移動方向が中間転写ベルトＢ１と同方向になるように回転可能な、略円柱状の部材とする。
【００４３】
本実施形態では、キャリア除去ローラ３０は、感光体ドラム１０の回転軸と平行な回転軸を中心として感光体ドラム１０と同方向に回転可能な略円柱状の部材であるとするが、これに限定されるものではなく、中間転写ベルトＢ１の移動方向において電荷印加位置２０Ｓよりも下流、二次転写位置よりも上流で中間転写ベルトＢ１表面からキャリアを除くことができればよい。具体的には、キャリア除去ローラ３０は、中間転写ベルトＢ１の表面に接することによって、中間転写ベルトＢ１表面のキャリアを自身の表面に移動させることができるようになっていればよい。
【００４４】
一次転写時には、トナーと共にキャリアも感光体ドラム１０から中間転写ベルトＢ１へと少量転移することがある。このキャリアの転移は、下流側の画像形成部における一次転写を妨げて画像のぼけ及びにじみ等の画像の不具合を引き起こす場合がある。キャリア除去ローラ３０を設けることによって、このような画像の不具合を防ぐことができる。
【００４５】
本実施形態では、キャリア除去ローラ３０が、中間転写ベルトＢ１の移動方向において前記電荷印加位置２０Ｓよりも下流で中間転写ベルトＢ１の表面に接するように配置される。前記キャリア除去ローラ３０は、上述のクリーニングブレード３５と共に、クリーニングユニット３１に組み込まれている。クリーニングユニット３１は、画像形成ユニットＦＹ内に設けられており、クリーニングブレード３５及びキャリア除去ローラ３０の他に、キャリア除去ローラ３０の表面に接することでキャリア除去ローラ３０表面に付着したキャリアを除去するキャリア除去ブレード３１ｂと、キャリア除去ローラ３０から除去されたキャリア、及び感光体ドラム１０表面からクリーニングブレード３５によって除去された現像剤（トナー及びキャリアを含む）とを、クリーニングユニット３１の外部に搬送する搬送部材３１ｃを備える。画像形成ユニットＦＹはさらに、搬送部材３１ｃによって搬送されたキャリア及びトナーを再利用するため、キャリアとトナーとを分離する分離部等を備えてもよい。
【００４６】
次に、現像装置ＨＹの構成について説明する。各色の現像装置ＨＹ、ＨＭ、ＨＣ、ＨＢの構成は同等である。
【００４７】
現像装置ＨＹは、現像容器４０、現像ローラ（スリーブローラ）４０ａ、磁気ローラ（マグローラ）４０ｂ、汲み上げローラ４０ｃ、撹拌スパイラル４０ｄ及び４０ｅ、クリーニングブレード４０ｆ、並びに磁気ローラドクターブレード４０ｇを備える。
【００４８】
現像容器４０は、内部に黄色のトナー（トナー粒子）とキャリアからなる現像剤を貯留する。撹拌スパイラル４０ｄ及び４０ｅは、現像容器４０の現像剤に全体が浸るように設けられ、現像剤を撹拌する。撹拌スパイラル４０ｄと４０ｅの回転によってトナーがキャリアに均一に分散される。
【００４９】
汲み上げローラ４０ｃは現像容器の現像剤にその一部が浸るように配置され、現像剤をその表面に付着させて汲み上げる。この汲み上げローラ４０ｃに接するようにして磁気ローラ４０ｂが配置され、汲み上げローラ４０ｃから現像剤の供給を受ける。磁気ローラ４０ｂの回転方向の汲み上げローラ４０ｃと接する位置の下流側に、磁気ローラ４０ｂの表面の現像剤の層厚を規制する磁気ローラドクターブレード４０ｇが設けられる。磁気ローラドクターブレード４０ｇは、磁気ローラ４０ｂの表面の現像剤層厚を所定量になるように規制する。磁気ローラ４０ｂと接するように現像ローラ４０ａ（現像器ともいう）が配置され、その表面に磁気ローラ４０ｂから現像剤が付与される。磁気ローラ４０ｂの現像剤の層厚が所定値に規制されているので現像ローラ４０ａの表面に形成される現像剤の層厚も所定値に保たれる。この現像ローラ４０ａは感光体ドラム１０と接し、感光体ドラム１０の表面の静電潜像の電位と現像ローラ４０ａに印加される現像バイアス値の電位差によって上位装置から形成指示された画像に応じたトナー像が感光体ドラム１０表面に形成される（現像動作）。
【００５０】
本発明の画像形成装置では、前記現像ローラ４０ａに印加される現像バイアス値（電圧値、単にバイアス値とする）を調整することで、トナー像の画像濃度補正を行うことを特徴としている。
【００５１】
感光体ドラム１０への現像動作を終えた現像ローラ４０ａの表面の現像剤は現像クリーニングブレード４０ｆによって除去され、クリーニングブレード４０ｆの表面に沿って流下し図示しない流路を通って現像容器４０に貯留されている現像剤と混合される。
【００５２】
又、現像容器にはトナー濃度センサ４０ｈが配置され、現像容器４０内の現像剤のトナー濃度を検出する。トナー濃度が所定値より低いことが検出された場合には、図示しないトナーカートリッジからトナー（所定値よりトナー濃度が高い現像剤）が現像容器４０に供給され、トナー濃度が所定値より高い場合には図示しないキャリアカートリッジからキャリアがトナー容器４０に供給される。
【００５３】
このような構成の下、パーソナルコンピュータ（ＰＣ）等の上位装置から画像形成の指示を受けた画像形成装置１は、指示を受けた画像データに対応した各色のトナー像を画像形成ユニットＦＹ、ＦＭ、ＦＣ、ＦＢを用いて形成する。各画像形成部で形成されたトナー像は中間転写ベルトＢ１に転写されて、中間転写ベルトＢ１上で重ね合わされてカラートナー像となる。
【００５４】
このカラートナー像の形成と同期して用紙収容部２に収容されている用紙が図示しない給紙装置で用紙収容部２から一枚ずつ取り出されて、用紙搬送部６上を搬送される。そして、用紙は中間転写ベルトＢ１への一次転写とタイミングを合わせて二次転写部３に送り込まれ、二次転写部３で中間転写ベルトＢ１上のカラートナー像が用紙に二次転写される。カラートナー像が転写された用紙はさらに定着部４に搬送されて熱と圧力によりカラートナー像が用紙に定着される。さらに用紙は排紙装置５によって画像形成装置１の外周に設けられた排紙トレイ部７に排紙される。二次転写後、中間転写ベルトＢ１に残留したトナーは、中間転写ベルトＢ１のクリーニング部Ｂ２によって中間転写ベルトＢ１から除去される。
【００５５】
図３は、本実施形態における画像形成装置１の制御関連の概略構成図である。
【００５６】
画像形成装置１は、ＣＰＵ（Ｃｅｎｔｒａｌ  Ｐｒｏｃｅｓｓｉｎｇ  Ｕｎｉｔ）３０１、ＲＡＭ（Ｒａｎｄｏｍ  Ａｃｃｅｓｓ  Ｍｅｍｏｒｙ）３０２、ＲＯＭ（Ｒｅａｄ  Ｏｎｌｙ  Ｍｅｍｏｒｙ）３０３、ＨＤＤ（Ｈａｒｄ  Ｄｉｓｋ  Ｄｒｉｖｅ）３０４及び前記印刷における各駆動部３０７に対応するドライバ３０５が内部バス３０６を介して接続されている。前記ＣＰＵ３０１は、例えばＲＡＭ３０２を作業領域として利用し、ＲＯＭ３０３やＨＤＤ３０４等に記憶されているプログラムを実行し、当該実行結果に基づいて前記ドライバ３０５とデータや命令を授受することにより前記図１に示した各駆動部の動作を制御する。又、前記駆動部以外の後述する各手段（図４に示す）についても、ＣＰＵ３０１がプログラムを実行することで各手段として動作する。
【００５７】
＜本発明の実施形態＞
次に、図４、図５を参照しながら、本発明の実施形態に係る構成及び実行手順について説明する。図４は、本発明の画像形成装置の機能ブロック図である。又、図５は、本発明の実行手順を示すためのフローチャートである。
【００５８】
先ず、ユーザが、画像形成装置１の電源を投入すると、当該画像形成装置１の画像形成手段４０１が、画像形成可能な状態へ移行させる。この前記画像形成可能な状態への移行処理には、例えば、設定条件の初期化、キャリブレーションの実行等がなされる。
【００５９】
前記画像形成装置１が画像形成可能な状態へ移行すると、ユーザが、ＰＣ等の上位装置（端末装置）から所定の画像データと画像形成の指示とを当該画像形成装置１に送信すると、前記画像形成装置１の画像形成手段４０１が、当該画像データに基づいて画像形成を実行する。
【００６０】
ここで、画像形成手段４０１が画像形成を実行する際に、その旨を現像バイアス印加手段４０２に通知し、当該通知を受けた現像バイアス印加手段４０２は、スリーブローラ４０ａに、第一の交流電圧と第一の直流電圧とを重畳させたパルス状のスリーブローラ電圧を印加させるとともに、磁気ローラ４０ｂに、第二の交流電圧と第二の直流電圧とを別個に印加させることで、当該磁気ローラ４０ｂに、第二の交流電圧と第二の直流電圧とを重畳させたパルス状の磁気ローラ電圧を印加させる。
【００６１】
尚、前記磁気ローラ電圧は、前記スリーブローラ電圧のパルスの凸部分に対応する凹部分と当該スリーブローラ電圧のパルスの凹部分に対応する凸部分とを有する電圧となり、前記スリーブローラ電圧と前記磁気ローラ電圧とにより、前記スリーブローラ４０ａと前記磁気ローラ４０ｂとの間には、一定の現像バイアス電圧が表面電位として印加された状態となる。
【００６２】
ここで、前記現像バイアス印加手段４０２が、前記スリーブローラ４０ａにスリーブローラ電圧を印加させるとともに、前記磁気ローラ４０ｂに、第二の交流電圧と第二の直流電圧とを別個に印加させる方法は、どのような方法でも構わないが、例えば、以下のようになされる。
【００６３】
例えば、画像形成装置１の内部の交流電圧直流電圧電源構成を、図６に示すように構成する。先ず、所定の交流高圧電源に交流用トランスを設けて、当該交流電圧電源の交流電圧を、前記スリーブローラ４０ａへ電圧を供給するスリーブローラ電圧線６０１と、前記磁気ローラ４０ｂへ交流電圧を供給する磁気ローラ交流電圧線６０２とに分配する構成とする。尚、前記磁気ローラ交流電圧線６０２の入力端子は接地される。
【００６４】
次に、所定の直流電圧電源に直流用トランスを設けて、当該直流電圧電源の直流電圧を、一つの直流電圧線６０３に供給し、当該直流電圧線６０３から二つの直流電圧線６０４、６０５に分岐する。尚、前記一つの直流電圧線６０３の入力端子は接地される。
【００６５】
そして、一方の直流電圧線６０４は、前記スリーブローラ４０ａ用の直流電圧を制御する第一の制御部６０６を通じて、前記スリーブローラ電圧線６０１の入力端子６０１ａ（交流用トランスに入力する前の入力端子）に電気的に接続される。
【００６６】
これにより、一方の直流電圧線６０４からの直流電圧が前記スリーブローラ電圧線６０１に印加されるとともに、当該スリーブローラ電圧線６０１は、交流用トランスにより、所定の交流電圧（第一の交流電圧）が印加されるから、当該スリーブローラ電圧線６０１の出力端子６０１ｂには、第一の交流電圧と第一の直流電圧とを重畳させたパルス状のスリーブローラ電圧が出力されることになる。前記スリーブローラ電圧線６０１の出力端子６０１ｂがスリーブローラ４０ａに電気的に接続されることで、当該スリーブローラ４０ａに、第一の交流電圧と第一の直流電圧とを重畳させたパルス状のスリーブローラ電圧が印加される。
【００６７】
一方、他方の直流電圧線６０５は、前記磁気ローラ４０ｂ用の直流電圧を制御する第二の制御部６０７を通じて、前記磁気ローラ４０ｂに電気的に接続される出力端子６０５ａを有し、更に、前記磁気ローラ交流電圧線６０２は、前記他方の直流電圧線６０５と電気的に接続すること無く、前記磁気ローラ４０ｂに電気的に接続される出力端子６０２ａを有する。前記他方の直流電圧線６０５の出力端子６０５ａと、前記磁気ローラ交流電圧線６０２の出力端子６０２ａとがそれぞれ磁気ローラ４０ｂに電気的に接続されることで、前記磁気ローラ４０ｂに、前記磁気ローラ交流電圧線６０２の交流電圧（第二の交流電圧）と前記他方の直流電圧線６０５の直流電圧（第二の直流電圧）とが別個に印加されて、当該磁気ローラ４０ｂに、第二の交流電圧と第二の直流電圧とを重畳させたパルス状の磁気ローラ電圧が印加されることになる。
【００６８】
尚、前記磁気ローラ交流電圧線６０２の出力端子６０２ａと、前記磁気ローラ４０ｂとの間には、所定の絶縁部６０８が設けられ、当該磁気ローラ交流電圧線６０２の出力端子６０２ａと当該磁気ローラ４０ｂとを電気的に接続したり遮断したり出来るようになっている。
【００６９】
画像形成の際には、前記現像バイアス印加手段４０２が、図７（Ａ）に示すように、前記絶縁部６０８を取り外して、前記磁気ローラ交流電圧線６０２の出力端子６０２ａと当該磁気ローラ４０ｂとを電気的に接続することで、前記磁気ローラ４０ｂに、第二の交流電圧を印加する。
【００７０】
尚、図７（Ａ）に示すように、前記スリーブローラ電圧線６０１の出力端子６０１ｂは、巻きバネ６０９を介してスリーブローラ４０ａに電気的に接続され、前記他方の直流電圧線６０５の出力端子６０５ａ、前記磁気ローラ交流電圧線６０２の出力端子６０２ａは、それぞれ別の巻きバネ６０９を介して磁気ローラ４０ｂに電気的に接続されている。又、前記他方の直流電圧線６０５と、前記磁気ローラ交流電圧線６０２との間には、所定の絶縁材料６１０がシールドとして予め設けられ、当該他方の直流電圧線６０５と当該磁気ローラ交流電圧線６０２の電気的接続を確実に防止している。
【００７１】
さて、前記現像バイアス印加手段４０２が、前記スリーブローラ４０ａにスリーブローラ電圧を印加させ、前記磁気ローラ４０ｂに第二の交流電圧と第二の直流電圧とを別個に印加させると、前記画像形成手段４０１は、画像形成を実行する。
【００７２】
ここで、前記画像形成手段４０１が画像形成の実行を完了すると、現像バイアス電圧の印加における放電開始電圧を測定するか否かを判定する（図５：Ｓ１０１）。
【００７３】
前記画像形成手段４０１が前記放電開始電圧を測定するか否かを判定する方法は、どのような方法でも構わないが、例えば、前記現像装置のスリーブローラ４０ａ、磁気ローラ４０ｂの交換直後か否か、前記画像形成の実行による積算印刷枚数が予め設定された第一の閾値（例えば、１００枚等）を超過したか否か、前記画像形成装置１の有する温度計の温度が予め設定された第二の閾値（例えば、３０度）を超過したか否か、前記画像形成装置１の有する湿度計の湿度が予め設定された第三の閾値（例えば、６０％）を超過したか否か等を挙げることが出来る。尚、前記放電開始電圧の測定は、上述した画像形成可能な状態に移行する際に実行しても良い。
【００７４】
さて、前記判定の結果、前記放電開始電圧を測定しないと判定された場合（図５：Ｓ１０１ＮＯ）、前記画像形成手段４０１は、ユーザの画像形成の指示に基づいて継続的に画像形成を実行する。
【００７５】
一方、前記判定の結果、前記放電開始電圧を測定すると判定された場合（図５：Ｓ１０１ＹＥＳ）、前記画像形成手段４０１は、その旨を交流電圧停止手段４０３に通知し、当該通知を受けた交流電圧停止手段４０３は、前記磁気ローラ４０ｂへの第二の交流電圧の印加（供給）を停止させる（図５：Ｓ１０２）。
【００７６】
前記交流電圧停止手段４０３が前記磁気ローラ４０ｂへの第二の交流電圧の印加を停止させる方法は、どのような方法でも構わないが、例えば、図７（Ｂ）に示すように、前記磁気ローラ４０ｂと前記磁気ローラ交流電圧線６０２の出力端子６０２ａとの間に設けられた絶縁部６０８を挿入させて（機能させて）、当該磁気ローラ交流電圧線６０２の出力端子６０２ａと当該磁気ローラ４０ｂとを電気的に遮断する方法を挙げることが出来る。
【００７７】
これにより、前記磁気ローラ４０ｂの磁気ローラ交流電圧線６０２に交流電圧を分配する交流用トランスを制御して、前記スリーブローラ交流電圧線６０１に印加される交流電圧の振幅を増大したとしても、当該スリーブローラ４０ａにのみ増大した交流電圧が印加され、前記磁気ローラ４０ｂに交流電圧が印加されない状態となる。
【００７８】
そして、前記交流電圧停止手段４０３が前記磁気ローラ４０ｂへの第二の交流電圧の印加を停止させると、その旨を放電開始電圧測定手段４０４に通知し、当該通知を受けた放電開始電圧測定手段４０４は、前記交流用トランスの交流電圧を増加させて、前記スリーブローラ４０ａと前記磁気ローラ４０ｂとの間に生じる放電開始電圧を測定する。
【００７９】
前記放電開始電圧測定手段４０４が前記放電開始電圧を測定する方法は、どのような方法でも構わないが、例えば、前記交流用トランスの交流電圧の振幅を徐々に増加させるとともに（図５：Ｓ１０３）、前記スリーブローラ４０ａと前記磁気ローラ４０ｂとの間に流れる電流（放電）の検知を開始する（図５：Ｓ１０４）。
【００８０】
前記スリーブローラ４０ａと前記磁気ローラ４０ｂとの間に流れる電流が検知されない場合には（図５：Ｓ１０４ＮＯ）、Ｓ１０３へ戻り、前記放電開始電圧測定手段４０４は、前記交流用トランスの交流電圧の振幅の増加を継続する。
【００８１】
ここで、上述のように、前記スリーブローラ交流電圧線６０１に印加される交流電圧の振幅を増加しても、前記磁気ローラ４０ｂに交流電圧が印加されないため、当該磁気ローラ４０ｂにトナーが供給されることを確実に防止し、前記磁気ローラ４０ｂと前記スリーブローラ４０ａとの間にリークが生じることを確実に防止することが可能となる。又、前記磁気ローラ４０ｂとスリーブローラ４０ａとの間にシャッター等を設ける必要もない。
【００８２】
さて、前記交流用トランスの交流電圧が、例えば、１５００Ｖ程度まで増加して、前記スリーブローラ４０ａと前記磁気ローラ４０ｂとの間に電流が流れると（図５：Ｓ１０４ＹＥＳ）、前記放電開始電圧測定手段４０４が、当該電流（放電）を検知し、この検知時の前記交流用トランスの交流電圧を放電開始電圧として決定する（図５：Ｓ１０５）。
【００８３】
これにより、上述したリークが発生することなく、放電開始電圧を適正に測定することが可能となる。
【００８４】
前記放電開始電圧測定手段４０４が放電開始電圧を決定すると、その旨を画像形成手段４０１に通知し、当該画像形成手段４０１は、これ以降に実施される画像形成の実行において、前記放電開始電圧を用いて現像バイアス電圧を生じさせることになる。その場合、適正な放電開始電圧であるため、適切な現像バイアス電圧を供給することが出来て、高品質な画像形成を提供することが可能となる。
【００８５】
このように、本発明は、画像形成の際に、前記スリーブローラ４０ａに、第一の交流電圧と第一の直流電圧とを重畳させたパルス状のスリーブローラ電圧を印加させるとともに、前記磁気ローラ４０ｂに、第二の交流電圧と第二の直流電圧とを別個に印加させることで、当該磁気ローラ４０ｂに、第二の交流電圧と第二の直流電圧とを重畳させたパルス状の磁気ローラ電圧を印加させる現像バイアス印加手段４０２と、放電開始電圧の測定の際に、前記磁気ローラ４０ｂへの第二の交流電圧の印加を停止させる交流電圧停止手段４０３と、前記磁気ローラ４０ｂへの第二の交流電圧の印加が停止されると、前記交流用トランスの交流電圧を増加させて、前記スリーブローラ４０ａと前記磁気ローラ４０ｂとの間に生じる放電を検知して、放電開始電圧を測定する放電開始電圧測定手段４０４とを備えることを特徴とする。
【００８６】
これにより、磁気ローラ４０ｂへの電圧電流配線を変更することで、適切な放電開始電圧を測定することが可能となる。
【００８７】
尚、本発明の実施形態では、前記交流電圧停止手段４０３が、前記絶縁部６０８を利用して前記磁気ローラ４０ｂへの第二の交流電圧の印加を停止させるよう構成したが、他の構成でも構わない。例えば、前記放電開始電圧の測定を、現像装置のスリーブローラ４０ａ、磁気ローラ４０ｂの交換時に実行する場合に、前記交流電圧停止手段４０３の代わりに、前記交換を行うサービスマンが、前記絶縁部６０８を操作（挿入）して、前記磁気ローラ４０ｂへの第二の交流電圧の印加を停止させるよう構成しても良い。
【００８８】
又、前記放電開始電圧の測定は、メンテナンスのみに実行される場合に、前記絶縁部６０８を取り外し可能に設置して、サービスマンがメンテナンスのみに、当該絶縁部６０８を挿入するよう構成しても構わない。
【００８９】
又、本発明の実施形態では、前記現像バイアス印加手段４０２をハード的に構成したが、ソフト的に構成しても構わない。
【００９０】
又、本発明は、タッチダウン現像方式を想定したが、二成分の現像剤を用いる現像装置の画像形成装置であれば、どのような画像形成装置でも構わない。
【００９１】
又、本発明では、例えば、黒色（ＢＫ）の現像装置について説明したが、イエロー（Ｙ）、マゼンタ（Ｍ）、シアン（Ｃ）の他の色でも構わない。
【００９２】
又、本発明の実施形態では、画像形成装置１が各手段を備えるよう構成したが、当該各手段を実現するプログラムを記憶媒体に記憶させ、当該記憶媒体を提供するよう構成しても構わない。当該構成では、前記プログラムを画像形成装置１に読み出させ、当該画像形成装置１が前記各手段を実現する。その場合、前記記録媒体から読み出されたプログラム自体が本発明の作用効果を奏する。さらに、各手段が実行するステップをハードディスクに記憶させる方法として提供することも可能である。
【産業上の利用可能性】
【００９３】
以上のように、本発明に係る画像形成装置及び放電開始電圧測定方法は、複合機はもちろん、複写機、プリンタ等に有用であり、磁気ローラへの電圧電流配線を変更することで、適切な放電開始電圧を測定することが可能な画像形成装置及び放電開始電圧測定方法として有効である。
【符号の説明】
【００９４】
１  画像形成装置
４０１  画像形成手段
４０２  現像バイアス印加手段
４０３  交流電圧停止手段
４０４  放電開始電圧測定手段
【図１】
2016012038.tif 000003
【図２】
2016012038.tif 000004
【図３】
2016012038.tif 000005
【図４】
2016012038.tif 000006
【図５】
2016012038.tif 000007
【図６】
2016012038.tif 000008
【図７】
2016012038.tif 000009
【図８】
2016012038.tif 000010